(57)【特許請求の範囲】
【請求項１】
少なくとも１つの制御装置に対して、主電源ラインおよびバックアップ用電源ラインを介して電力を供給する電源モジュールを有する電源供給制御システムであって、
前記電源モジュールに設けられ、前記少なくとも１つの制御装置の動作開始に不可欠なリセット信号を発生するリセット回路からなる動作制御手段と、
前記動作制御手段により発生された前記リセット信号を、前記少なくとも１つの制御装置に対して伝送する動作制御ラインと
を具え、
前記主電源ラインと前記バックアップ用電源ラインとを、それぞれ異なるコネクタに接続し、
前記動作制御ラインを、前記バックアップ用電源ラインと同一のコネクタに接続したことを特徴とする電源供給制御システム。
【請求項２】
少なくとも１つの制御基板に対して、遊技用電源ラインおよびバックアップ用電源ラインを介して電力を供給する電源モジュールを有する遊技装置であって、
前記電源モジュールに設けられ、前記少なくとも１つの制御基板の動作開始に不可欠なリセット信号を発生するリセット回路からなる基板動作制御手段と、
前記基板動作制御手段により発生された前記リセット信号を、前記少なくとも１つの制御基板に対して伝送する基板動作制御ラインと
を具え、
前記遊技用電源ラインと前記バックアップ用電源ラインとを、それぞれ異なるコネクタに接続し、
前記基板動作制御ラインを、前記バックアップ用電源ラインと同一のコネクタに接続したことを特徴とする遊技装置。
【発明の詳細な説明】
【０００１】
【発明の属する技術分野】
本発明は、バックアップ機能の不正改造を防止することが可能な電源供給制御システムおよび遊技装置に関する。
【０００２】
【従来の技術】
従来の遊技装置として、パチンコ機を例に挙げて説明する。
【０００３】
図５は、パチンコ機における電力供給ラインのシステム構成例を示す。
【０００４】
電源モジュール１は、パチンコ店内の１区画（以下、島という）に設けられた電源（ＡＣ２４Ｖ、５０／６０Ｈｚ）に接続される電源プラグ１０と、該電源モジュール１のＯＮ，ＯＦＦを制御する電源スイッチ１１とを備えている。この電源スイッチ１１は、常時ＯＮ状態とされ、パチンコ店内の島電源を入切りすることによって、店内のパチンコ機の電源を一括してＯＮ，ＯＦＦするのが一般的である。
【０００５】
電源モジュール１と電源中継基板２との間、および、電源中継基板２と複数の制御基板３〜７との間は、遊技用電力を供給するための遊技用電源ライン１２、および、バックアップ用電力を供給するためのバックアップ用電源ライン１３がそれぞれ接続されている。
【０００６】
この場合、遊技用電源ライン１２は、４本の信号ライン１２ａ〜１２ｄ（ＤＣ２４Ｖ、ＤＣ１２Ｖ、ＤＣ５Ｖ、ＧＮＤ）からなり、コネクタ１５ａ，１５ｂ又はコネクタ１５ｃ，１５ｄに接続されている。また、バックアップ用電源ライン１３は、通常の遊技時の電力よりも小さなバックアップ用電力を伝送するバックアップライン１３ａと、停電を検出して報知する停電信号検出ライン１３ｂとからなり、コネクタ１６ａ，１６ｂ又はコネクタ１６ｃ，１６ｄに接続されている。
【０００７】
主制御基板３は、遊技全体の統括的な制御を行う主ＣＰＵ２０を有している。各制御基板４〜７は、主制御基板３からの信号を受け、当該各制御基板を制御するサブＣＰＵ２１〜２４を有している。この場合、払出制御基板４は、賞球、プリベードカードによる貸玉の払出を制御する基板である。図柄制御基板５は、図柄の変動等を制御する基板である。ランプ制御基板６は、装飾用ランプ、ＬＥＤの点灯、点滅を制御する基板である。音声制御基板７は、効果音をスピーカで発生するための制御を行う基板である。
【０００８】
また、これら各種の制御基板３〜７には、各ＣＰＵ２０〜２４をリセットするためのリセット回路３０が設けられている。
【０００９】
【発明が解決しようとする課題】
通常の遊技を行うに際して、営業時間内（例えば、１０時〜２３時）においては遊技用電源ライン１２を介して各制御基板３〜７に電力が供給される。これに対して、営業時間外（例えば、２３時〜翌朝１０時）においては、バックアップ用電源ライン１３を介して通常の遊技時の電力よりも小さな電力が供給される。
【００１０】
そして、営業店によっては、その店の営業方針に基づきバックアップ機能は不要であるとの理由から、バックアップ用電源ライン１３の接続用コネクタを抜いたままの状態にしておく可能性がある。例えば、図５の例では、電源中継基板２の電源モジュール１と接続する側のコネクタ１６ｂや、電源中継基板２の主基板３と接続する側のコネクタ１６ｃ等を、抜いたままの状態にしておく。
【００１１】
しかしながら、バックアップ用電源ライン１３の接続用コネクタを抜いたままの状態にしておくと、営業時間内において遊技を行っている最中に停電等によって電源が遮断された場合、各制御基板３〜７内の揮発性メモリ２５にバックアップ用の電力が供給されず、その結果、揮発性メモリ２５内のデータを保持することができない。例えば、大当たり中に停電が発生すると、バックアップ機能がないため、その大当たりに関するデータ内容を保存できず、これにより客との間にトラブル等が発生する虞がある。
【００１２】
しかも、営業時間内において、接続用コネクタを抜いたままの状態にしてバックアップ機能を意識的に使用不能な状態にすることは、「不正改造の行為に当たり、法律上において禁止された行為」となっている。
【００１３】
そこで、本発明の目的は、バックアップ機能の不正改造を防止することが可能な電源供給制御システムおよび遊技装置を提供することにある。
【００１４】
【課題を解決する手段】
本発明は、少なくとも１つの制御装置に対して、主電源ラインおよびバックアップ用電源ラインを介して電力を供給する電源モジュールを有する電源供給制御システムであって、電源モジュールに設けられ、少なくとも１つの制御装置の動作開始に不可欠なリセット信号を発生するリセット回路からなる動作制御手段と、動作制御手段により発生されたリセット信号を、少なくとも１つの制御装置に対して伝送する動作制御ラインとを具え、主電源ラインとバックアップ用電源ラインとを、それぞれ異なるコネクタに接続し、動作制御ラインを、バックアップ用電源ラインと同一のコネクタに接続したことを特徴とする。
【００１５】
本発明は、少なくとも１つの制御基板に対して、遊技用電源ラインおよびバックアップ用電源ラインによりコネクタを介して電力を供給する電源モジュールを有する遊技装置であって、電源モジュールに設けられ、少なくとも１つの制御基板の動作開始に不可欠なリセット信号を発生するリセット回路からなる基板動作制御手段と、基板動作制御手段により発生されたリセット信号を、少なくとも１つの制御基板に対して伝送する基板動作制御ラインとを具え、遊技用電源ラインとバックアップ用電源ラインとを、それぞれ異なるコネクタに接続し、基板動作制御ラインを、バックアップ用電源ラインと同一のコネクタに接続したことを特徴とする。
【００１８】
【発明の実施の形態】
以下、図面を参照して、本発明の実施の形態を詳細に説明する。
【００１９】
本例では、電源供給制御システムとして、遊技装置のパチンコ機を例に挙げる。なお、前述した図５と同一部分については、その説明を省略し、同一符号を付す。
【００２０】
＜システム構成＞
図１は、本システムの構成例を示す。
【００２１】
本システムは、電源モジュール１と、該モジュールから電力（常用、非常用）および各種の制御信号が送られる複数の制御基板３〜７と、電源中継基板２とに大別される。
【００２２】
電源モジュール１内には、各制御基板３〜７に対してリセット信号Ｒを発生するリセット信号生成回路５０と、各制御基板３〜７に対して初期化スイッチ信号Ｓを発生する初期化スイッチ５１とが設けられている。
【００２３】
この場合、リセット信号Ｒは、リセット信号ライン６０を介して各制御基板３〜７内に送られ、各ＣＰＵ２０〜２４に入力される。また、初期化スイッチ信号Ｓは、初期化スイッチ信号ライン６１を介して各制御基板３〜７内に送られ、各ＣＰＵ２０〜２４に入力ポート等を通じて入力される。
【００２４】
これらリセット信号ライン６０、初期化スイッチ信号ライン６１は、前述した図５に示したバックアップライン１３ａ、停電信号検出ライン１３ｂと共に一体にされ、バックアップ用電源ライン１３を構成している。このバックアップ用電源ライン１３は、コネクタ２０１（後述する図３参照）に一体に組み付けられている。これにより、バックアップ用電源ライン１３を構成する４本の信号ラインが同時に挿抜可能となっている。
【００２５】
なお、本例では、バックアップ用電源ライン１３を、４本一組みとした４ピンコネクタとして構成したが、これに限るものではなく、リセット信号ライン６０を従来のバックアップ用電源ライン１３に最低限含む３ピンコネクタのような構成でもよい。
【００２６】
このようにリセット信号ライン６０を有するバックアップ用電源ライン１３は、コネクタ１６ａ，１６ｂ又はコネクタ１６ｃ，１６ｄを介して、電源モジュール１と電源中継基板２との間、および、電源中継基板２と複数の制御基板３〜７との間でそれぞれ接続される。
【００２７】
（電源モジュール）
図２は、電源モジュール１の構成を示す。
【００２８】
ＡＣ２４Ｖの電源１０はコネクタ１０ａに接続され、電源スイッチ１１はコネクタ１１ａに接続されている。コネクタ１０ａとコネクタ１１ａとの間には、リレー１００が接続されている。このリレー１００は、電源スイッチ１１のＯＮ、ＯＦＦに連動して動作するリモートスイッチである。電源スイッチ１１をＯＮとすることにより、ＡＣ２４Ｖがヒューズ１０１を介して全波整流回路１０２に供給される。
【００２９】
全波整流回路１０２は、４個のダイオードからなるブリッジ回路で構成されており、ＤＣ２４Ｖに変換される。このＤＣ２４Ｖは、ヒューズ１０３を介してコネクタ１５ａに出力されると共に、電解コンデンサからなる平滑回路１０４を介してＤＣ１２Ｖレギュレータ１０５（過電流保護回路を含む）とＤＣ５Ｖレギュレータ１０６（過電流保護回路を含む）と電流断検出回路１０７とリセット信号生成回路５０とにそれぞれ入力される。
【００３０】
ＤＣ１２Ｖレギュレータ１０５からのＤＣ１２ＶとＤＣ５Ｖレギュレータ１０６からのＤＣ５Ｖとは、コネクタ１５ａに接続された各信号ライン１２ａ，１２ｂからそれぞれ出力される。
【００３１】
電流断検出回路１０７から得られる停電検出信号Ｃとリセット信号生成回路５０から得られるリセット信号Ｒとは、コネクタ１６ａに接続された停電信号ライン１３ｂ、リセット信号ライン６０からそれぞれ出力される。
【００３２】
この場合、リセット信号生成回路５０は、電圧レベル検出回路等から構成されており、ＤＣ２４Ｖの電圧レベルを監視して、一定レベルに達したときリセット信号Ｒを発生する。
【００３３】
ＤＣ５Ｖレギュレータ１０６の出力端は分岐されており、ショットキーダイオード１０８を介して、バックアップ用電源としての電気二重層コンデンサ１１０に接続されている。この電気二重層コンデンサ１１０のプラス端子から得られるバックアップ信号Ｂは、コネクタ１６ａに接続されたバックアップライン１３ａから出力される。
【００３４】
初期化スイッチ５１から得られた初期化スイッチ信号Ｓは、出力バッファ５２を介して、コネクタ１６ａに接続された初期化スイッチ信号ライン６１から出力される。
【００３５】
通常、制御基板３〜７内のメモリ２５を初期化した場合、この初期化スイッチ５１を押しながら、電源スイッチ１１をＯＮとすることにより、初期化信号Ｓが出力される。
【００３６】
信号ライン１２０，１２１は、コネクタ１２３を介してプリペイドカード１３０に接続され、ＡＣ２４Ｖを供給している。なお、信号ライン１２０には、ヒューズ１２２が介在されている。
【００３７】
（コネクタ部）
図３は、電源モジュール１のコネクタ部の外観構成を示す。
【００３８】
４本の信号ライン（１３ａ，１３ｂ，６０，６１）が束ねられたバックアップ用電源ライン１３は、そのラインの一端に接続されたコネクタ２０１によって、電源モジュール１のコネクタ１６ａに対して抜き挿しできるようになっている。
【００３９】
また、４本の信号ライン（１２ａ，１２ｂ，１２ｃ，１２ｄ）が束ねられた遊技用電源ライン１２は、そのラインの一端に接続されたコネクタ２００によって、電源モジュール１のコネクタ１５ａに対して抜き挿しできるようになっている。
【００４０】
＜システム動作＞
図４は、主制御基板３における電源供給制御の１例を示す。
【００４１】
（バックアップ機能が付加されている場合）
まず、バックアップ機能が付加されている例について説明する。
【００４２】
このバックアップ機能が付加されているとは、バックアップ用電源ライン１３がコネクタ部分で抜かれておらず、バックアップ機能が正常に動作することをいう。
【００４３】
図４において、ステップＳ１では、例えばパチンコ店内の朝一番において店員が、電源モジュール１の電源スイッチ１１をＯＮ状態にする。
【００４４】
これにより、電力（ＤＣ２４Ｖ、ＤＣ１２Ｖ、ＤＣ５Ｖ）が遊技用電源ライン１２を通じて各制御基板３〜７に供給される。
【００４５】
ステップＳ２では、そのスイッチのＯＮと同時に、リセット信号生成回路５０が動作してリセット信号Ｒが生成される。このリセット信号Ｒは、バックアップ用電源ライン１３を通じて各制御基板３〜７に入力される。これにより、その転送されたリセット信号Ｒに基づいて、システムリセットの動作が実行される。
【００４６】
ステップＳ３では、初期化スイッチ５１が、ＯＮ又はＯＦＦの状態かを判断する。スイッチが、ＯＮ状態であればステップＳ４に進み、ＯＦＦ状態であればステップＳ５に進む。
【００４７】
ステップＳ４では、メモリ（ＲＡＭ）２５の内容をクリアする。このクリアする例としては、例えば、前日の営業終了時点において、大当たりによる確変（すなわち確率変動）の途中でゲームが終了するような場合に相当する。
【００４８】
さらに、ステップＳ６に進み、新規な状態（朝一状態という）からゲームを開始する。
【００４９】
一方、ステップＳ５では、メモリ（ＲＡＭ）２５の内容をロードする。このロードする例としては、例えば、前日の営業終了時点において、ノーマルモード（すなわち大当たりが発生していない状態）でゲームが終了するような場合に相当する。
【００５０】
さらに、ステップＳ７に進み、前日の終了時の電源を切った箇所からゲームを再開する。
【００５１】
（バックアップ機能が除去されている場合）
次に、バックアップ機能が除去されている例について説明する。
【００５２】
このバックアップ機能が除去されているとは、バックアップ用電源ライン１３がコネクタ部分で抜かれており、バックアップ機能が働かないことをいう。なお、バックアップ機能を削除する理由としては、店の営業方針等によって行われるものである。
【００５３】
ここでは、バックアップ用電源ライン１３が、電源中継基板２の電源モジュール１と接続される部分のコネクタ１６ｂ、又は、電源中継基板２の主基板３と接続される部分のコネクタ１６ｃの部分において、抜かれているものとする。
【００５４】
そして、図４において、ステップＳ１では、電源スイッチ１１をＯＮにする。
【００５５】
ステップＳ２では、リセット信号生成回路５０によりリセット信号Ｒが生成されるが、バックアップ用電源ライン１３が抜かれているため、リセット信号Ｒが主制御基板３に入力されない。これにより、システムリセットが行われず、遊技装置が作動しないため、ゲームを開始することができない。
【００５６】
このようにバックアップ用電源ライン１３に、システム動作開始を左右するリセット信号ライン６０を付加したことによって、バックアップ用電源ライン１３を営業時間内において抜いたままの状態にしておくようなことをなくすことができる。
【００５７】
（その他の例）
上記例では、リセット信号生成回路５０によって生成されたリセット信号Ｒを転送するリセット信号ライン６０を、バックアップ用電源ライン１３に付加したが、これに限定されるものではなく、遊技装置のシステム全体の動作に関わるような信号を転送する機能を付加させればよい。
【００５８】
また、リセット信号ライン６０は、制御基板３〜７全てに対して接続したが、マスター側の主制御基板３のみに接続してもよい。
【００５９】
また、電源供給制御システムとして、遊技装置のパチンコ機を例に挙げたが、これに限定されるものではなく、他の電源制御装置にも幅広く適用できるものである。
【００６０】
なお、本発明は、記憶媒体（例えば、フロッピーディスク、ハードディスク等）に記憶された制御プログラムを装置又はシステムに供給して、コンピュータによって当該制御プログラムを実行することによっても、本発明の効果を享受できるものである。
【００６１】
【発明の効果】
以上説明したように、本発明によれば、制御装置に対して、主電源ラインおよびバックアップ用電源ラインを介して電力を供給する電源モジュールを有するシステムにおいて、電源モジュール内に、制御装置の動作に不可欠な動作制御信号を発生する動作制御手段を設け、この動作制御手段によって発生された動作制御信号を前記制御装置に対して伝送する動作制御ラインを、バックアップ用電源ラインと共に一体に構成したので、バックアップ用電源ラインの挿抜動作と、システム全体の動作とを連動させることが可能となり、これにより、バックアップ用電源ラインが抜かれたままの状態では、例えば遊技を開始することができず、営業時間内において常にバックアップ用電源ラインを挿入した状態に設定することが可能となるため、バックアップ機能の不正改造を防止することができる。
【図面の簡単な説明】
【図１】本発明の実施の形態である、電源供給制御システムの構成例を示すブロック図である。
【図２】電源モジュールの構成例を示すブロック図である。
【図３】電源モジュールの接続部の構成を示す斜視図である。
【図４】電源供給制御の1例を示すフローチャートである。
【図５】従来の構成例を示すブロック図である。
【符号の説明】
１  電源モジュール
２  電源中継基板
３  主制御基板
４  払出制御基板
５  図柄制御基板
６  ランプ制御基板
７  音声制御基板
１０  電源コンセント
１１  電源スイッチ
１２  遊技用電源ライン
１３  バックアップ用電源ライン
１３ａ  バックアップ信号ライン
１３ｂ  停電検出信号ライン
２０  主ＣＰＵ
２１〜２４  サブＣＰＵ
２５  メモリ
５０  リセット信号生成回路
５１  初期化スイッチ
６０  リセット信号ライン
６１  初期化スイッチ信号ライン
１００  リレー
２００，２０１  コネクタ
【図１】
0003730837.tif 000002
【図２】
0003730837.tif 000003
【図３】
0003730837.tif 000004
【図４】
0003730837.tif 000005
【図５】
0003730837.tif 000006